(57)【要約】【課題】  矢を放った時の弓部の復元に伴う振動による衝撃により固定部に伝達された振動を減衰して、先端の揺れ幅を小さくし、且つ、揺れが素早く収まるアーチェリー用エクステンションバーを得る。【解決手段】  所定長さの支持部９と、支持部９の長手方向の一端側に弓部１に固定する固定部１０と、支持部９の他端側に照準器５を取り付ける取付部１１とを有するアーチェリー用エクステンションバー３の、支持部９の長手方向全域或いは一部に、固定部１０の縦断面積よりも小さい縦断面積を有する小縦断面積部１３を形成した【選択図】    図３
2020085384.tif 000002
【特許請求の範囲】
【請求項１】
所定長さの支持部と、該支持部の長手方向の一端側に弓部に固定する固定部と、前記支持部の他端側に照準器を取り付ける取付部とを有するアーチェリー用エクステンションバーであって、
前記支持部の長手方向全域或いは一部に、前記固定部の縦断面積よりも小さい縦断面積を有する小縦断面積部を形成したことを特徴とするアーチェリー用エクステンションバー。
【請求項２】
前記小縦断面積部には、固定部側から取付部側に向かうに従い徐々に縦断面積が小さくなる漸次縮小部が形成されていることを特徴とする請求項１に記載のアーチェリー用エクステンションバー。
【請求項３】
前記支持部と前記固定部と前記取付部は長尺な板状部材で一体に形成されており、
前記小縦断面積部は、前記支持部の長手方向全域或いは一部の上下方向縦幅を前記固定部の上下方向縦幅より短幅とすることにより形成したことを特徴とする請求項１又は２に記載のアーチェリー用エクステンションバー。
【請求項４】
前記支持部と前記固定部と前記取付部は長尺な板状部材に一体に形成されており、
前記小縦断面積部は、前記支持部の長手方向全域或いは一部の上下方向縦幅を前記固定部の上下方向縦幅より短幅とし、また、前記支持部の長手方向全域或いは一部の厚さ方向横幅を、前記固定部の厚さ方向横幅より短幅とすることにより形成したことを特徴とする請求項１又は２に記載のアーチェリー用エクステンションバー。
【請求項５】
前記板状部材は、長手方向の長さが前記固定部と前記支持部と前記取付部の長さに相当する長さに形成された略矩形状の主部材と、前記主部材の上下方向縦幅より長幅で且つ長手方向の長さが前記固定部と前記支持部の長さに相当する長さよりも短く形成された略矩形状の副部材とからなり、前記主部材の一端部に前記副部材を固着することにより形成されていることを特徴とする請求項３又は４に記載のアーチェリー用エクステンションバー。
【発明の詳細な説明】
【技術分野】
【０００１】
本発明はアーチェリーの照準器を弓本体部から前方に延在した位置に配置するためのアーチェリー用エクステンションバーに関する。
【背景技術】
【０００２】
アーチェリー競技では、照準器を射手の目から的方向に所定の距離をとった位置に配置し、射手が正確に照準を合わせることができるようにするために、弓部から前方へ延在するように固定されたエクステンションバーの先端に照準器を取り付けるといったことが行われている（例えば、特許文献１参照。）。
【０００３】
弓部に固定されたエクステンションバーは、矢を放った時の弓部の復元に伴う振動による衝撃を受けて振動するので、その先端に取り付けられている照準器も振動を受けることになる。
照準器は複数の部品により構成されており、強い振動を受けると照準器を構成している部品間に緩みが生じ、照準器の正確な位置の再現が困難になる場合があるといった問題があった。また、照準器を構成している部品の緩みにより部品間に隙間が生じ、強い振動を受けた場合、部品同士が擦れたり、衝突したりして異音を発生させることがあり、高い集中力を必要とする射手に大きなストレスを与えることになるといった問題があった。
【０００４】
従来、このような問題を解決する手段として、エクステンションバーの外周に筒状に形成された弾性材からなる振動吸収体を嵌合させ、振動吸収体でエクステンションバーの振動を吸収することによりエクステンションバーの振動を減衰させ、照準器に伝達される振動を小さくするといったことが行われている。
【先行技術文献】
【特許文献】
【０００５】
【特許文献１】特開２００７−３１５７４６号公報
【発明の概要】
【発明が解決しようとする課題】
【０００６】
しかし、上記のエクステンションバーの振動を小さくする手段は、エクステンションバーの振動を振動吸収体で吸収するようにしているので、振動吸収効果を上げるためには振動吸収体を厚くしなければならず、その結果、射手の目障りになるおそれがあるといった問題があり、また、射手の目障りを避けるため振動吸収体の厚さを薄くすると射手の目障りは緩和されるものの満足できる振動吸収効果か得られないといった問題がある。
また、振動吸収体を常に用意しておかなければならないといった煩わしさや、エクステンションバーに振動吸収体を嵌合させるといった煩わしい作業を強いられるといった問題がある。
【０００７】
本発明者は、このような問題を解決するため試験研究を重ねた結果、エクステンションバー自体の形状により解決することに着目し、本発明を成すに至った。
【０００８】
本発明の目的は、矢を放った時の弓部の復元により受ける振動を減衰させる機能を有するアーチェリー用エクステンションバーを提供することにある。
【課題を解決するための手段】
【０００９】
上記の目的を達成するために、請求項１に記載の発明は、所定長さの支持部と、該支持部の長手方向の一端側に弓部に固定する固定部と、前記支持部の他端側に照準器を取り付ける取付部とを有するアーチェリー用エクステンションバーであって、前記支持部の長手方向全域或いは一部に、前記固定部の縦断面積よりも小さい縦断面積を有する小縦断面積部を形成したことを特徴とする。
【００１０】
請求項１に記載の発明によれば、前記支持部の長手方向全域或いは一部に、前記固定部の縦断面積より小さい縦断面積を有する小縦断面積部を形成したので、矢を放った時に弓部が復元したときの衝撃により前記固定部に伝達された振動が前記支持部の小縦断面積部で減衰されて、先端の揺れ幅が小さくなり、且つ、揺れが素早く収まるようにすることができる。これにより、照準器が受ける振動も小さくなり、照準器を構成している部品間の緩みやズレを防止することができ、照準器の位置の正確な再現を容易にすることができる。また、照準器を構成している部品の緩みが防止されるので、部品同士の擦れや衝突による異音の発生を抑えることができる。
【００１１】
請求項２に記載の発明は、請求項１に記載の、前記小縦断面積部には、固定部側から取付部側に従い徐々に縦断面積が小さくなる漸次縮小部が形成されていることを特徴とする。
【００１２】
請求項２に記載の発明によれば、前記小縦断面積部には、固定部側から取付部側に向かうに従い徐々に縦断面積が小さくなる漸次縮小部が形成されているので、前記支持部の縦断面積を先端に向かうに従い徐々に小さくすることができ、振動の減衰を効果的に行うことができる。
【００１３】
請求項３に記載の発明は、請求項１または２のいずれか１項に記載の、前記支持部と前記固定部と前記取付部は長尺な板状部材で一体に形成されており、前記小縦断面積部は、前記支持部の長手方向全域或いは一部の上下方向縦幅を前記固定部の上下方向縦幅より短幅とすることにより形成したことを特徴とする。
【００１４】
請求項３に記載の発明によれば、前記支持部と前記固定部と前記取付部は長尺な板状部材で一体に形成されており、前記小縦断面積部は、前記支持部の長手方向全域或いは一部の上下方向縦幅を前記固定部の上下方向縦幅より短幅とすることにより形成したので、前記支持部に、前記固定部の縦断面積より小さい前記小縦断面積部を容易に形成することができる。
【００１５】
請求項４に記載の発明は、請求項１または２のいずれか１項に記載の、前記支持部と前記固定部と前記取付部は長尺な板状部材に一体に形成されており、前記小縦断面積部は、前記支持部の長手方向全域或いは一部の上下方向縦幅を前記固定部の上下方向縦幅より短幅とし、また、前記支持部の長手方向全域或いは一部の厚さ方向横幅を、前記固定部の厚さ方向横幅より短幅とすることにより形成したことを特徴とする。
【００１６】
請求項４に記載の発明によれば、前記支持部と前記固定部と前記取付部は長尺な板状部材に一体に形成されており、前記小縦断面積部は、前記支持部の長手方向全域或いは一部の上下方向縦幅を前記固定部の上下方向縦幅より短幅とし、また、前記支持部の長手方向全域或いは一部の厚さ方向横幅を、前記固定部の厚さ方向横幅より短幅とすることにより形成したので、前記支持部に、前記固定部の断面積より小さい前記小縦断面積部を一層容易に形成することができる。
【００１７】
請求項５に記載の発明は、請求項３または４のいずれか１項に記載の、前記板状部材は、長手方向の長さが前記固定部と前記支持部と前記取付部の長さに相当する長さに形成された略矩形状の主部材と、前記主部材の上下方向縦幅より長幅で且つ長手方向の長さが前記固定部と前記支持部の長さに相当する長さよりも短く形成された略矩形状の副部材とからなり、前記主部材の一端部に前記副部材を固着することにより形成されていることを特徴とする。
【００１８】
請求項５に記載の発明によれば、前記板状部材は、長手方向の長さが前記固定部と前記支持部と前記取付部の長さに相当する長さに形成された略矩形状の主部材と、前記主部材の上下方向縦幅より長幅で且つ長手方向の長さが前記固定部と前記支持部の長さに相当する長さよりも短く形成された略矩形状の副部材とからなり、前記主部材の一端部に前記副部材を固着することにより形成されているので、前記固定部と、前記固定部の縦断面積よりも小さい縦断面積を有する前記小縦断面積部が形成された前記支持部と、前記取付部を備えたエクステンションバーとを、成形が比較的容易な略矩形の複数の部材を固着することにより、容易に製造することができる。
【発明の効果】
【００１９】
本発明に係るアーチェリー用エクステンションバーによれば、矢を放った時の弓部の復元に伴う振動による衝撃により固定部に伝達された振動が支持部の小縦断面積部で減衰され、先端の揺れ幅が小さくなり、且つ、揺れが素早く収まるようにすることができる。これにより、照準器が受ける振動も小さくなり、照準器を構成している部品間の緩みやズレを防止することができ、照準器の位置の正確な再現を容易に且つ確実にすることができる。また、照準器を構成している部品の緩みが防止されるので、部品同士の擦れや衝突による異音の発生を抑えることができ、高い集中力を必要とするアーチェリー競技において異音による射手に与えるストレスを緩和することができる。
また、従来のような衝撃吸収体を必要としないので、射手の目障りになるといったような問題は発生せず、また、衝撃吸収体を常に用意しておかなければならいといった煩わしさや、エクステンションバーに衝撃吸収体を嵌合させるといった煩わしい作業から射手を解放することができる。
【図面の簡単な説明】
【００２０】
【図１】固定部材を介して弓部に固定したアーチェリー用エクステンションバーに照準器を取り付けた状態を示すアーチェリー用弓の全体説明図である。
【図２】図１に示す固定部材と照準器を取り付けたエクステンションバーを示す説明図である。
【図３】本発明に係るアーチェリー用エクステンションバーの実施の形態の第１例を示す側面図である。
【図４】図３に示すエクステンションバーの平面図である。
【図５】第１例のエクステンションバーの支持部の他例を示す側面図である。
【図６】第１例のエクステンションバーの支持部の他例を示す側面図である。
【図７】第１例のエクステンションバーの支持部の他例を示す側面図である。
【図８】第１例のエクステンションバーの支持部の他例を示す側面図である。
【図９】本発明に係るアーチェリー用エクステンションバーの実施の形態の第２例を示す斜視図である。
【図１０】図９に示すエクステンションバーの平面図である。
【図１１】本発明に係るアーチェリー用エクステンションバーの実施の形態の第３例を示す斜視図である。
【図１２】図１１に示すエクステンションバーの分解説明図である。
【発明を実施するための形態】
【００２１】
以下、本発明に係るアーチェリー用エクステンションバーの実施の形態の第１例を、図面を参照して詳細に説明する。
図１乃至図８は本発明に係るアーチェリー用エクステンションバーの実施の形態の第１例を示し、図１は固定部材を介して弓部に固定したアーチェリー用エクステンションバーに照準器を取り付けた状態を示すアーチェリー用弓の全体説明図、図２は図１に示す固定部材と照準器を取り付けたエクステンションバーを示す説明図、図３は本発明に係るアーチェリー用エクステンションバーの実施の形態の第１例を示す側面図、図４は図３に示すエクステンションバーの平面図、図５，図６，図７，図８は第１例のエクステンションバーの支持部の他例を示す側面図である。
【００２２】
アーチェリー用の弓具は、図１に示すように、弓部１と、ストリングス２から構成される。弓部１にはエクステンションバー３が弓部１から前方へ延在するように設けられている。エクステンションバー３は、その一端が固定部材４を介して弓部１に固定されており、他端には照準器５が取り付けられている。
図２に示すように、エクステンションバー３は、その一端に固定部材４を取り付け、他端には照準器５を取り付ける。
固定部材４は、板状又は筒状の部材であり、エクステンションバー３に脱着可能に取り付けるための取付機構と、弓部に固定するための固定機構を備えている。本例では取付機構としてエクステンションバー３を固定部材４に螺着させるネジＳと貫通孔（図示せず）を備えている。また、固定機構として弓部１と螺着されるための貫通穴Ｈを形成している。
照準器５は、照準ピンを備えた照準器本体６と、照準器本体６を上下方向に移動調整可能に支持するエレベーションバー７とで構成されており、取付部材８を介してエクステンションバー３に取り付ける。
【００２３】
本発明に係る第１例のエクステンションバー３は、長尺部材からなり、所定長さの支持部９と、支持部９の長手方向の一端側に弓部１に固定する固定部１０と、支持部９の他端側に照準器５を取り付ける取付部１１とを有している。また、第１例では、支持部９、固定部１０、取付部１１は長尺な板状部材１２で一体に形成されており、支持部９、固定部１０、取付部１１の間に特別な仕切りはない。
エクステンションバー３の素材は、エクステンションバー３に使用される公知の素材を用いることができ、例えばアルミニウムやカーボンファイバーなどが用いられる。
【００２４】
支持部９は、その長手方向全域或いは一部に、固定部１０の縦断面積よりも小さい縦断面積を有する小縦断面積部１３を形成している。第１例では支持部９の上下方向縦幅を固定部１０の上下方向縦幅よりも短幅とすることにより小縦断面積部１３を形成している。
【００２５】
第１例の支持部９にあっては、小縦断面積部１３の形成が開始される小縦断面積部起点１３ａが支持部９の固定部側端部１４と一致し、小縦断面積部１３の形成が終了する小縦断面積部終点１３ｂが取付部側端部１５と一致している。小縦断面積部１３の形成範囲は特に限定されるものではなく第１例の範囲に限らないが、振動を効果的に減衰させるために、小縦断面積部１３ができるだけ先端側に配置されるように、小縦断面積部終点１３ｂは取付部側端部１５の近傍の位置に形成している事が好ましく、また、取付部側端部１５と一致するように形成していることがより好ましい。
【００２６】
また、第１例の小縦断面積部１３は、固定部１０側から取付部１１側に向かうに従い、徐々に縦断面積が小さくなる漸次縮小部１６が形成されている。
第１例の漸次縮小部１６は、上辺と下辺が内に向かって傾斜し、上下方向縦幅が徐々に短幅となるテーパー形状にすることにより形成されている。漸次縮小部１６の形成位置及び範囲は特に限定されないが、第１例では、漸次縮小部１６の形成が開始される漸次縮小部起点１６ａと小縦断面積部起点１３ａが一致し、漸次縮小部１６の形成が終了する漸次縮小部終点１６ｂと小縦断面積部終点１３ｂが一致するように形成している。小縦断面積部１３の形状は、縦断面積が固定部１０の縦断面積よりも小さい形状であれば特に問わないが、第１例のように漸次縮小部１６を形成すれば、支持部９の縦断面積を先端に向かうに従い徐々に小さくすることができるので、振動の減衰を効果的に行うことができる。また、第１例の漸次縮小部１６は上辺と下辺を内に向かって傾斜させて形成しているので、支持部９の縦断面積を先端に向かうに従いなだらかに小さくすることができ、振動の減衰をより効果的に行うことができる。
【００２７】
また、第１例では、縦断面積が最小となる最小縦断面積部１３ｃが小縦断面積部終点１３ｂと一致するように形成している。最小縦断面積部１３ｃの形成位置は特に限定されるものではないが、振動を効果的に減衰させるために、できるだけ先端側の位置となるように、小縦断面積部終点１３ｂの近傍の位置に形成することが望ましい。
また、第１例では、最小縦断面積部１３ｃは長手方向の幅を持たないが、これに限られるものではなく、最小縦断面積部１３ｃが長手方向に幅が持つように形成することもできる。
【００２８】
ここで、第１例の支持部９の変形例を、図５乃至図８を参照して説明する。
図５に示す支持部９は、図３に示す支持部９と異なり、小縦断面積部１３の小縦断面積部起点１３ａが支持部９の固定部側端部１４よりも取付部１１側に位置しており、また、固定部側端部１４の上下方向縦幅が固定部１０の縦幅よりも広く、支持部９の小縦断面積部１３よりも固定部１０側の部分が、固定部１０の縦断面積よりも大きくなっている。
このように、支持部９はその一部に固定部１０の縦断面積よりも大きい縦断面積部を有していてもよい。
【００２９】
図６に示す支持部９は、図３に示す支持部９とは異なり、漸次縮小部１６を固定部１０側から取付部１１側に向かって上辺と下辺が内に向かう階段状に形成して上下方向縦幅を漸次短幅とすることにより漸次縮小部１６を形成している。
このように、漸次縮小部１６の形状は、固定部１０側から取付部１１側に向かって徐々に縦断面積を縮小するものであればよく、その形状は特に問わない。
【００３０】
図７に示す支持部９は、図３に示す支持部９とは異なり、漸次縮小部１６を形成せず、小縦断面積部１３の縦断面積が小縦断面積部起点１３ａにおいて固定部１０の縦断面積よりも小さくなるように形成している。また、上辺と下辺が平行となって小縦断面積部１３を形成し、小縦断面積部起点１３ａから小縦断面積部終点１３ｂまで長手方向の全域が最小縦断面積部１３ｃとなるように形成している。
このように、支持部９は、漸次縮小部１６を形成しなくてもよく、また、小縦断面積部１３の長手方向全域を最小縦断面積部１３ｃとしてもよい。
【００３１】
図８に示す支持部９は、図３に示す支持部９とは異なり、小縦断面積部１３に、固定部１０の上下方向縦幅を超えない突状小縦断面積部１３ｄが形成されている。
このように、小縦断面積部１３において、先端に向かうに従い縦断面積が大きくなる箇所が形成されていてもよい。
【００３２】
支持部９に形成された小縦断面積部１３における最小縦断面積部１３ｃの縦断面積の固定部１０の縦断面積に対する比率は、エクステンションバー３を形成する素材、エクステンションバー３の長手方向の長さ、固定部１０の縦断面積の大きさ、支持部９の形状、小縦断面積部１３の形成位置と範囲、漸次縮小部１６の有無及び形成位置と範囲等により定められ、小縦断面積部１３により振動を十分に減衰することができれば特に限定されないが、最小縦断面積部１３ｃの縦面積を固定部１０の縦断面積の９５％に縮小した場合でも約１４％の振動の減衰が認められ、僅かな縮小であってもよい。
【００３３】
また、第１例では、固定部１０に位置決め用ネジ穴１７を形成している。位置決め用ネジ穴１７は固定部材４が備えるエクステンションバー３の取付機構であるネジＳと対応する形状に形成しており、固定部材４の貫通穴を貫通させたネジＳと位置決め用ネジ穴１７を螺合して、エクステンションバー３を固定部材４に螺着する。固定部１０に形成された位置決め用ネジ穴１７は、固定部１０の長手方向に複数形成されており、固定部１０の固定に際し、いずれかの位置決め用ネジ穴１７を選択することにより、弓部１から照準器５の距離を調整できるようになっている。
なお、エクステンションバー３の固定部材４への取り付けは、エクステンションバー３が固定部材４に確実に固定できれば螺着以外の方法によってもよく、例えば、固定部材４を筒体に形成し、固定部材の貫通穴に代えてネジＳが螺合されるネジ穴を形成し、エクステンションバー３の固定部１０の位置決め用ネジ穴１７に代えて位置決め凹部を形成して、固定部材４のネジ穴にネジＳを螺合し、その先端を位置決め凹部に嵌合させてエクステンションバー３の取り付け位置を決定するとともに、エクステンションバー３をネジＳの先端で押圧することにより、エクステンションバー３を固定部材４に圧接して固定部材４に取り付けるといった方法でもよい。
【００３４】
また、第１例では、取付部１１に取付部材８と取付部１１を螺着するための取付用ネジ穴１８が形成されている。なお、取付部１１への照準器５の取り付けは螺着に限られるものではなく、他の方法によってもよい。
【００３５】
このように構成された第１例のエクステンションバー３によれば、支持部９の長手方向全域或いは一部に、固定部１０の縦断面積より小さい縦断面積を有する小縦断面積部１３を形成しているので、矢を放った時に弓部１が復元したときの衝撃により固定部１０に伝達された振動が支持部９の小縦断面積部１３で減衰されて、先端の揺れ幅が小さくなり、且つ、揺れが素早く収まるようにすることができる。これにより、照準器５が受ける振動も小さくなり、照準器５を構成している部品間の緩みやズレを防止することができ、照準器５の位置の正確な再現を容易に且つ確実にすることができる。また、照準器５を構成している部品の緩みが防止されるので、部品同士の擦れや衝突による異音の発生を抑えることができる。
【００３６】
また、小縦断面積部１３には、固定部１０側から取付部１１側に向かうに従い徐々に縦断面積が小さくなる漸次縮小部１６が形成されているので、支持部９の縦断面積を先端に向かうに従い徐々に小さくすることができ、振動の減衰を効果的に行うことができる。
【００３７】
また、支持部９、固定部１０、取付部１１を長尺な板状部材１２で一体に形成し、また小縦断面積部１３を、支持部９の上下方向縦幅を、固定部１０の上下方向縦幅より短幅とすることにより形成しているので、支持部９に、固定部１０の縦断面積より縦断面積が小さい小縦断面積部１３を容易に形成することができる。
【００３８】
図９、図１０は本発明に係るアーチェリー用エクステンションバーの実施の形態の第２例を示し、図９は第２例のアーチェリー用エクステンションバーを示す斜視図、図１０は図９に示すエクステンションバーの平面図である。
第２例のエクステンションバー３は、第１例のエクステンションバー３と基本構成において変わるところはなく、第１例と同一の構成については同一の符号を付して説明する。
【００３９】
第２例と第１例の主な違いは、支持部９の長手方向全域或いは一部に形成している固定部１０の縦断面積よりも小さい縦断面積を有する小縦断面積部１３の構成にある。
第２例では、小縦断面積部１３を、第１例と同様に、支持部９の上下方向縦幅を固定部１０の上下方向縦幅よりも短幅とするとともに、支持部９の厚さ方向横幅を固定部１０の厚さ方向横幅よりも短幅とすることにより形成している。
その他の構成は第１例と同様のため、第１例の説明を援用し、省略する。
【００４０】
このように構成された第２例のエクステンションバー３によれば、支持部９に、固定部１０の断面積より小さい小縦断面積部１３を一層容易に形成することができる。
その他の効果は第１例と同様のため、第１例の説明を援用し、省略する。
【００４１】
図１１、図１２は本発明に係るアーチェリー用エクステンションバーの実施の形態の第３例を示し、図１１は第３例のアーチェリー用エクステンションバーを示す斜視図、図１２は図１１に示すエクステンションバーの分解説明図である。
【００４２】
第３例のエクステンションバー３は、第１例のエクステンションバー３と基本構成において変わるところはなく、第１例と同一の構成については同一の符号を付して説明する。
【００４３】
第３例と第１例の主な違いは、支持部９と固定部１０と取付部１１を一体に形成する板状部材１２の構成にある。
第３例では、板状部材１２を、長手方向の長さが支持部９と固定部１０と取付部１１の長さに相当する長さに形成した略矩形状の主部材１２ａと、主部材１２ａの上下方向縦幅より長幅で且つ長手方向の長さが固定部１０の長さと支持部９の長さに相当する長さよりも短く形成した略矩形状の副部材１２ｂとから構成し、主部材１２ａにおけるエクステンションバー３の固定部に相当する一端部に副部材１２ｂを固着することにより形成している。
このように板状部材１２を形成することにより、固定部１０と、固定部１０の縦断面積よりも小さい縦断面積を有する小縦断面積部１３が形成された支持部９と、取付部１１を備えたエクステンションバー３を形成している。
【００４４】
副部材１２ｂの長手方向の長さは、固定部１０と小縦断面積部１３が形成された支持部９とを形成することができれば特に限定されないが、第３例では、副部材１２ｂの長手方向の長さを固定部１０に相当する長さを超える長さとし、副部材１２ｂは支持部９の一部を構成するものとなっている。
また、第３例の副部材１２ｂは、他端部に上下方向縦幅が徐々に短幅となる漸次短幅部１９を形成している。これによりエクステンションバー３に漸次縮小部１６を形成している。
【００４５】
なお、第３例では、主部材１２ａに１枚の副部材１２ｂを固着することにより板状部材１２を形成しているが、主部材１２ａに固着する副部材１２ｂは２枚以上であってもよい。例えば、２枚の副部材１２ｂで主部材１２ａを挟むようにして、副部材１２ｂを主部材１２ａに固着することにより板状部材１２を形成してもよい。
また、第３例では、主部材１２ａと副部材１２ｂとの固着を、接着剤を用いて行っているが、主部材１２ａと副部材１２ｂとの固着はこれに限られるものではなく、例えば主部材１２ａと副部材１２ｂとをネジを使って螺着することにより固着することもできる。
【００４６】
このように構成された第３例のエクステンションバー３によれば、固定部１０と、固定部１０の縦断面積よりも小さい縦断面積を有する小縦断面積部１３が形成された支持部９と、取付部１１を備えたエクステンションバー３を、成形が比較的容易な略矩形の複数の部材を固着することにより、容易に製造することができる。
その他の構成及び効果は第１例と同様なので、第１例を援用し、その説明を省略する。
【符号の説明】
【００４７】
１  弓部
２  ストリングス
３  エクステンションバー
４  固定部材
５  照準器
６  照準器本体
７  エレベーションバー
８  取付部材
９  支持部
１０  固定部
１１  取付部
１２  板状部材
１２ａ  主部材
１２ｂ  副部材
１３  小縦断面積部
１３ａ  小縦断面積部起点
１３ｂ  小縦断面積部終点
１３ｃ  最小縦断面積部
１３ｄ  突状小縦断面積部
１４  固定部側端部
１５  取付部側端部
１６  漸次縮小部
１６ａ  漸次縮小部起点
１６ｂ  漸次縮小部終点
１７  位置決め用ネジ穴
１８  取付用ネジ穴
１９  漸次短幅部
Ｓ  ネジ
Ｈ  貫通穴
【図１】
2020085384.tif 000003
【図２】
2020085384.tif 000004
【図３】
2020085384.tif 000005
【図４】
2020085384.tif 000006
【図５】
2020085384.tif 000007
【図６】
2020085384.tif 000008
【図７】
2020085384.tif 000009
【図８】
2020085384.tif 000010
【図９】
2020085384.tif 000011
【図１０】
2020085384.tif 000012
【図１１】
2020085384.tif 000013
【図１２】
2020085384.tif 000014